【事件の表示】
　特許第２８６３８１０号「カメラの状態報知装置」の請求項１に係る特許に対する特許異議の申立てについて、次のとおり決定する。
【結　論】
　訂正を認める。
　特許第２８６３８１０号の請求項１に係る特許を維持する。
【理　由】
【1】手続の経緯
　特許第2863810号の請求項1に係る発明は、平成1年4月3日に出願され、平成10年12月18日にその設定登録がなされ、その後、オリンパス光学工業株式会社、細野篤良より特許異議申立がなされ、取消理由通知に対して平成12年1月11日に訂正請求がなされたものである。
　
【2】訂正の適否についての判断
《2-1》訂正後の発明
　訂正後の請求項1に係る発明は、訂正明細書の特許請求の範囲に記載された次のとおりのものである。
　「フィルム容器の外周表面部に設けられたフィルム情報を読み取り、このフィルム情報を制御回路に入力するためのフィルム情報検出手段を備えたカメラにおいて、カメラを作動状態にすることによって得られる撮影関連情報を出力する情報出力手段を設け、この出力を、カメラのシャツタボタンの半押し毎に、前記フィルム情報検出手段を介してカメラの本体外部に出力するようにしたことを特徴とするカメラの状態報知装置。」(以下、「本件発明という。)
　
《2-2》訂正の要旨
　特許権者が求めている訂正の内容は、以下のとおりである。
訂正事項A:
　特許請求の範囲に「この出力を前記フィルム情報検出手段を介してカメラの本体外部に出力するようにした」とあるのを「この出力を、カメラのシャツタボタンの半押し毎に、前記フィルム情報検出手段を介してカメラの本体外部に出力するようにした」と、特許請求の範囲の減縮を目的として訂正する。
訂正事項B:
　特許明細書の第5頁第3行〜第5行及び第18頁第12行〜第13行に「この出力を前記フィルム情報検出手段を介してカメラの本体外部に出力するようにした」とあるのを「この出力を、カメラのシャツタボタンの半押し毎に、前記フィルム情報検出手段を介してカメラの本体外部に出力するようにした」と、不明りょうな記載の釈明を目的として訂正する。
　
《2-3》訂正の目的の適否、新規事項の有無及び拡張・変更の存否
　上記訂正事項Aは、願書に添付した明細書及び図面に記載した事項の範囲内で特許請求の範囲の減縮を目的とするものであり、これらの訂正は実質上特許請求の範囲を拡張し、又は変更するものでもない。
　また、上記訂正事項Bは、願書に添付した明細書及び図面に記載した事項の範囲内で特許請求の範囲の訂正に伴って生じた不明りょうな記載の釈明を目的とするものであり、これらの訂正は実質上特許請求の範囲を拡張し、又は変更するものでもない。
　
《2-4》独立特許要件の判断
《2-4-1》取消理由通知で引用した刊行物の記載
　 刊行物1: 特開昭62-7038号公報 (オリンパス光学工業株式会社、細野篤良の甲第1号証) 
　 刊行物2: 特開昭62-148941号公報(細野篤良の甲第2号証) 
　
[刊行物1: 特開昭62-7038号公報]
　第1頁右欄15行〜次頁左上欄1行の記載にみられるとおり、本件特許発明と同一の技術分野に属し、また目的も共通する発明である。そして、その特許請求の範囲に記載された事項、さらには第2頁左下欄13行〜同右下欄10行の記載によれば、「フィルムパトローネの外面に形成された電気的フィルム情報を読取るためにフィルム収納室の壁面に設けられ、上記フィルムパトローネまたは外部装置に選択的に電気的接続される端子群と、該端子群を介して上記フィルム情報を入力するか前記外部装置との間でカメラチェック情報を入力するかの2種の入出力動作を選択的に行う入出力回路と、該入出力回路でいずれの入出力動作を行うかを指令する信号を出力する制御回路とを備えたカメラの情報入出力装置。」を発明の要旨とし、上記構成により前記端子群を介してカメラ作動チェック情報が得られ、効率よくカメラの作動チェックが行い得るという効果が奏せられるというものである。
　さらに、第2頁右下欄12行〜次頁左上欄8行、第3頁右上欄3行〜同12行、第4頁右上欄4行〜同左下欄1行、第4頁左下欄2行〜次頁左上欄5行には、上記「端子群」が第1図及び第2図の端子群Cに相当し、パトローネDの外周表面部に設けられたDXコードパターンに接触してDXコード情報(フィルム情報)を読み取り、このフィルム情報をマイコン110に入力するために用いられるものであること、マイコン110を含む情報入出力装置(A)が、シフトレジスタ114に書き込まれた送出すべき情報を前記端子Cからカメラ本体外に出力させること、カメラ本体外に送出すべき情報がカメラの作動チェック情報で、カメラを作動させたときに得られる情報であること、カメラ本体の情報には、露出制御用データや焦点検出用データが含まれることが記載されている。
　
[刊行物2: 特開昭62-148941号公報]
　刊行物2記載の発明は、その第1頁左欄16行〜同右欄1行の記載にみられるとおり、本件特許発明と同一の技術分野に属し、また目的も共通する発明である。そして、特許請求の範囲に記載された事項によれば、「所望露出値での撮影を可能にする撮影条件をデジタル演算回路により決定し、フィルムのDXコードを読取る1又は複数の電気端子を具備するカメラにおいて、スイッチ手段と、当該スイッチ手段による切換信号に応答して、当該デジタル演算回路で用いられる1つまたは2つ以上のカメラ内部の各種情報をDXコード読取用電気端子に出力する回路とを備えたカメラ内情報確認装置。」を発明の要旨とし、上記構成により製造組立時の調節作業が簡単化される
という効果が奏せられるものである。
　さらに、第2頁右下欄15行〜同欄20行、第3頁左上欄1行〜同欄14行、第5頁右上欄16行〜次頁左上欄13行には、上記「電気端子」が第8図の電気接点12a〜12dに相当し、第7図のパトローネ10からフイルム情報を読み取って主演算回路20にフィルムの感度値を入力するために用いられること、切換スイッチ42の切換えにより、BV値及びAV値を主演算回路20か電気接点12a〜12dに出力させること、主演算回路20から電気接点12a〜12dに出力させる情報の種類としては、上記BV値及びAV値の他に、電源電圧情報,タイミングスイッチ等の動作チェック,露出情報,撮影回数,...,フラッシュの充電時間などがあることが記載されている。
　
《2-4-2》対比・判断
　本件発明と刊行物1に記載された発明とを対比する。いずれもカメラ本体から電気信号を得てカメラの作動状態を確認するためのもので技術分野は共通し、その構成においても本件発明の「フィルム情報検出手段」及び「情報報出力手段」が、刊行物1に記載された発明の「端子群C」,「マイコン110を含む清報入出力装置(A)」に相当し、カメラを作動させたときのカメラ本体側の情報を「端子群(C)」から外部に出力させるという作用の点で共通する。
　なお、本件発明ではカメラ本体外部に出力される情報が「カメラを作動状態にすることによって得られる撮影関連情報」であるのに対し、刊行物1に記載された発明では「カメラチェック情報」であるが、刊行物1の記載から、刊行物1に記載された発明の「カメラチェック情報」は「カメラを作動状態にすることによって得られる撮影関連情報」を含むことが明らかである。
　しかしながら、本件発明は、撮影関連情報をカメラのシャツタボタンの半押し毎に、前記フィルム情報検出手段を介してカメラの本体外部に出力するのに対して、刊行物1に記載された発明では、カメラチェック情報を出力できるモードに切り替えるための操作を必要とする(この点に関しては刊行物1の第3頁左下欄第3〜14行に明記されている)ものである点で両者は相違する。
　そこでこの相違点について検討するに、刊行物2は、カメラ内部の情報を出力するためのスイッチ手段を必要とするものである(特許請求の範囲参照)。
　従って、刊行物1,2の記載からは刊行物1に記載された発明のカメラチェック情報を出力できるモードに切り替えるための操作をシャッタボタンの半押しの操作に置き替えることは、当業者といえども容易には想到できなかった事項である。そして、上記相違点の本件発明の構成により、明細書記載の効果を奏するものと認められる。
　
《2-5》むすび
　以上のとおりであるから、上記訂正は、特許法第120条の4第2項及び同条第3項で規定する訂正について、平成6年法律第116号附則第6条第1項の規定によりなお従前の例によるとされる改正前の特許法第126条第1項ただし書き、同条第2項及び同条第3項の規定に適合するので、当該訂正を認める。
　
【3】特許異議の申立てについての判断
《3-1》申立ての理由の概要
　特許異議申立人 オリンパス光学工業株式会社は、本件の請求項1に係る特許発明は、刊行物1に記載された発明であり特許法第29条第1項第3号の規定に該当し、また、刊行物1に記載された発明に基づいて当業者が容易に発明できたものであり特許法第29条第2項の規定に違反する旨主張している。
　特許異議申立人 細野篤良は、本件の請求項1に係る特許発明は、刊行物1又は刊行物2に記載された発明であり特許法第29条第1項第3号の規定に該当し、また、刊行物1、刊行物2に記載された発明に基づいて当業者が容易に発明できたものであり特許法第29条第2項の規定に違反する旨主張している。
　
《3-3》判断
　本件発明と刊行物1、2に記載された発明とを比較すると、前記「《2-4-2》対比・判断」で述べた相違が存在し、前記刊行物に記載された発明ではなく、また、「《2-4-2》対比・判断」で述べた理由により刊行物1、2に記載された発明から容易に想到できた事項とすることもできない。
　従って、申立人の主張を採用することはできない。
　
《3-4》むすび
　以上のとおりであるから、特許異議申立の理由及び証拠方法によっては、本件の請求項1に係る発明の特許を取り消すことはできない。
　また、他に本件の請求項1に係る発明の特許を取り消すべき理由を発見しない。
　よって、特許法等の一部を改正する法律(平成6年法律第116号)附則第14条の規定に基づく、特許法等の一部を改正する法律の施行に伴う経過措置を定める政令(平成7年政令第205号)第4条第2項の規定により、結論のとおり決定する。
【異議決定日】
平成１２年８月１６日（２０００．８．１６）
【訂正の要旨】
訂正の要旨
　特許権者が求めている訂正の内容は、以下のとおりである。
訂正事項Ａ：
　特許請求の範囲に「この出力を前記フィルム情報検出手段を介してカメラの本体外部に出力するようにした」とあるのを「この出力を、カメラのシャツタボタンの半押し毎に、前記フィルム情報検出手段を介してカメラの本体外部に出力するようにした」と、特許請求の範囲の減縮を目的として訂正する。
訂正事項Ｂ：
　特許明細書の第５頁第３行〜第５行及び第１８頁第１２行〜第１３行に「この出力を前記フィルム情報検出手段を介してカメラの本体外部に出力するようにした」とあるのを「この出力を、カメラのシャツタボタンの半押し毎に、前記フィルム情報検出手段を介してカメラの本体外部に出力するようにした」と、不明りょうな記載の釈明を目的として訂正する。
（５４）【発明の名称】
カメラの状態報知装置
（５７）【特許請求の範囲】
　フィルム容器の外周表面部に設けられたフィルム情報を読み取り、このフィルム情報を制御回路に入力するためのフィルム情報検出手段を備えたカメラにおいて、カメラを作動状態にすることによって得られる撮影関連情報を出力する情報出力手段を設け、
この出力を、カメラのシャッタボタンの半押し毎に、前記フィルム情報検出手段を介してカメラの本体外部に出力するようにした
【発明の詳細な説明】
［産業上の利用分野］
　この発明はカメラの状態報知装置に係り、詳しくはカメラ状態のチェックや組立工程で用いられるカメラの状態報知装置に関する。
［従来の技術］
　このようなカメラの状態報知装置としては、例えばカメラに搭載されている液晶表示装置を用いて報知する方法や特別に報知用の出力端子を設けたものが知られている。
　液晶表示装置を用いた方法は、この出願人より出願されている特願昭６３−８７９７６号に開示されており、例えばカメラをテストモードという通常の撮影者が操作不可能なモードとし焦点調節を行なわせると、カメラが被写体距離を１ｍと判断した場合には液晶表示装置に“１９”が表示され、また４ｍと判断した場合は“８”が表示されるという具合である。この他にも被写体の明るさやフィルム感度をカメラがどう判断したのかを液晶表示装置に同様に表示するようになっている。
　また、特別に報知用の出力端子を設けたものは説明するまでもなく、カメラ内の回路の一部を状態報知としての回路端子を形成し、かつ外装部を外すことによって、この回路端子と検知装置とを接続し、この検知装置に撮影関連情報を出力するようになっている。
［発明が解決しようとする課題］
　ところで、前者の液晶表示装置を用いる場合は、カメラをテストモードという通常の撮影者が操作不可能なモードにする必要がある。
　即ち、最近のオートカメラでは撮影者にとって被写体の明るさや被写体までの距離等はどうでもよいことであり、これらの情報に基づく制御はカメラが自動的に行なうことであって、撮影者はただシャッターボタンを押すだけで良いようになっている。撮影者はむしろフィルムの残り枚数やバッテリーの状態を知りたいはずであるから、液晶表示装置は通常それらの表示をしており、これを利用してテストモードにして表示するためには、フィルム容器の外周表面部に設けられたフィルム情報を読み取り、このフィルム情報を制御回路に入力するためのＤＸピンのコモン端子を、コネクタを介してバッテリーのグランドと接続し、さらにその上にテストモードに切替える等の操作が必要であり、操作が面倒である。
　また、後者の特別に報知用の出力端子を用いる場合は、その出力端子が回路の一部であるために、カメラの外装を取り付ける前しか出力端子として取り出せないから、カメラ状態のチェック時が制約される。或いは撮影者が不用意に報知用の出力端子に不用意に触れ、静電気等で回路を破壊する恐れがあるため、カメラの外装を取り付けた後でも出力端子として利用するには、その出力端子に覆いを取り付けるか、簡単には触れられない部位に配置する必要がある。
　従って、当然覆いが必要であるし、特別な配線が必要となったりする。また、撮影者が触れても構わないように静電気対策を施す必要がある。
　この発明は係る課題を解決するもので、特別な出力手段を設けることなく、カメラの内部情報を得ることができ、カメラ状態のチェックや組立工程での調整が簡便となるカメラの状態報知装置を提供することを目的としている。
［課題を解決するための手段］
　前記課題を解決するために、この発明のカメラの状態報知装置は、フィルム容器の外周表面部に設けられたフィルム情報を読み取り、このフィルム情報を制御回路に入力するためのフィルム情報検出手段を備えたカメラにおいて、カメラを作動状態にすることによって得られる撮影関連情報を出力する情報出力手段を設け、
この出力を、カメラのシャッタボタンの半押し毎に、前記フィルム情報検出手段を介してカメラの本体外部に出力するようにした
［作用］
　この発明のカメラの状態報知装置は、フィルム容器の外周表面部に設けられたフィルム情報を読み取り、このフィルム情報を制御回路に入力するためのフィルム情報検出手段を用いて、カメラを作動状態にすることによって得られる撮影関連情報を出力する。従って、フィルム情報検出手段を利用することで、特別な出力手段を設けることなく、簡単にカメラ内部情報を得られるため、カメラ状態のチェックや組立工程での調整が簡便となる。
　なお、撮影関連情報とは、写真撮影を行なうために必要な露出制御や自動焦点制御のための情報を含む全ての情報をいうが、この情報の中で何を出力するかは適宜選択しても良い。
［実施例］
　以下、この発明のカメラの状態報知装置の実施例を添付図面に基づいて詳細に説明する。
　第１図はこの発明のカメラの状態報知装置を適用したカメラに、フィルム容器をセットした状態を示す図である。
　図において、符号１はカメラで、画枠２の両側にパトローネ室３とフィルム巻取室４が配置され、パトローネ室３にフィルム容器５がセットされ、裏蓋６を閉じた状態で、露光されたフィルムＦがフィルム巻取室４側に巻取られる。
　このカメラ１にはフィルム容器５の外周表面部に設けられたフィルム情報を読み取り、このフィルム情報を制御回路に入力するためのフィルム情報検出手段を備えており、カメラを作動状態にすることによって得られる撮影関連情報を出力する情報出力手段を設け、この出力をフィルム情報検出手段を介してカメラ１の本体外部に出力するカメラの状態報知装置を有している。
　このカメラの状態報知装置の報知出力の実施例を第２図乃至第７図に示す。
　第２図及び第３図はフィルム情報検出手段が複数ある場合を示し、第２図はフィルム情報検出手段の配置を示す図、第３図はパトローネ室３に配置されるフィルム情報検出手段からの出力信号の波形図である。
　この実施例ではパトローネ室３内にフィルム情報検出手段を構成するＤＸピン１０〜１３が４本設けられている。このＤＸピン１０〜１３はフイルム容器の外周表面部に設けられたＤＸコードからフィルム感度や枚数等のフィルム情報を読み取り、このフィルム情報を制御回路に入力するためのものであり、この１本のＤＸピン１３がコモン端子として用いられ、他の３本のＤＸピン１０〜１２は測光状態を出力、焦点調節状態を出力、バッテリー状態を出力するのに用いられる。
　このＤＸピン１０〜１３は例えばオシロスコープ等に接続して計測され、そのＤＸピン１０〜１２の出力波形から作動状態を知ることができる。
　この場合、第３図に示すように、測光状態の出力、焦点調節状態の出力、バッテリー状態の出力の波形が別々に出力される。
　第４図及び第５図はフィルム情報検出手段が少ない場合を示し、第４図はフィルム情報検出手段の配置を示す図、第５図はフィルム情報検出手段からの出力信号の波形図である。
　この実施例ではフィルム情報検出手段を構成するＤＸピン１４，１５が２本設けられ、この１本のＤＸピン１５がコモン端子に用いられ、他の１本のＤＸピン１４が測光状態の出力、焦点調節状態の出力、バッテリー状態の出力に用いられる。　この出力は同様に例えばオシロスコープ等に接続して計測し、その波形から作動状態を知ることができるが、この場合は第５図に示すように、パルス幅の異なる識別信号を出力することによって、測光状態の出力、焦点調節状態の出力、バッテリー状態の出力の区別が行なわれる。
　ここで、識別信号は例えば１ｍｓ，３ｍｓ，５ｍｓとすることで、それぞれ測光、焦点調節、バッテリーの各状態を出力する前のインデックスパルスとなっている。なお、この出力方式はＤＸピンが少ない場合に限られず、第２図に示すように複数本の場合にも用いることができる。
　第６図及び第７図はフィルム情報検出手段が非接触方式の場合の実施例で、第６図のフィルム情報検出手段でフィルム情報を入力する状態を示し、第７図はフィルム情報検出手段から状態報知の出力を示す図である。
　フィルム情報検出手段は第６図に示すように、パトローネ室３に設けられた反射式フォトカプラ２０で構成され、反射式フォトカプラ２０は発光素子２０ａと、受光素子２０ｂからなっている。
　この実施例では、フィルム容器５に設けられたＤＸコードが銀色の部分と黒い塗装部とで構成されているのに着目し、発光素子２０ａから出力した光をＤＸコードで反射させ、これを受光素子２０ｂで受光し、その反射光量の差によってＤＸコードを読み取る。
　この場合は、第７図に示すように、受光素子２１を埋設したパトローネ形状の検出器２２を用意すれば良い。即ち、パトローネ室３に設けた発光素子２０ａの発光を、ＤＸピンと同様にパルス発光させ、これを受光素子２１で検出する。
　第８図はカメラの状態報知装置の回路図である。
　第８図において、符号３０はカメラ用バッテリーで、リチウム電池等が用いられ、スイッチＳ１を介して電源部３１が接続されている。この電源部３１はレギュレータＩＣ等で構成され、マイクロコンピュータＭＣの作動に必要な電源を安定して出力させる。マイクロコンピュータＭＣに接続されたＤＸピン１０〜１３はフィルム容器５のＤＸコード３２に接触し、このＤＸピン１０〜１２からフィルム情報が入力される。マイクロコンピュータＭＣはスイッチＳ２の操作で公知の焦点調節回路３３、公知の被写体輝度測光回路３４等の制御し、またその制御による作動状態をＤＸピン１０〜１２を介して出力して報知する。
　このそれぞれのＤＸピン１０〜１２はプルアップ抵抗Ｒ１〜Ｒ３を介してプルアップされているため、出力信号をローレベルにすることで状態報知が行なわれる。また、それぞれのＤＸピン１０〜１２は静電気破壊防止用ツェナーダイオードＺ１〜Ｚ３を介してグランドＧＮＤに接続されている。
　次に、このカメラの状態報知装置の回路図の動作を第９図乃至第１２図に基づいて説明する。第９図はフローチャート、第１０図はタイムチャート、第１１図はＡＥテーブル、第１２図はＡＦテーブルである。
　撮影者のシャッターボタン半押しで接触するスイッチＳ１が導通し、マイクロコンピュータＭＣが所定のプログラムに従って作動し始める。
　焦点調節回路３３、被写体輝度測光回路３４等の各回路を初期状態にリセット（ステップａ）した後、バッテリー電圧のチェックを行ない（ステップｂ）、ＤＸコードの検出を行ないフィルム情報を読み取る（ステップｃ）。
　ＤＸピン１３のコモン端子がグランドＧＮＤに接続されているため、フィルム容器５のＤＸコード３２の黒塗装していない部分と接触しているＤＸピンもグランド側と導通する。フィルム容器５が無い場合と、フィルム容器５があっても黒塗装してある部分と接触しているＤＸピンは、電源にプルアップされているので高い電圧となっている。
　従って、マイクロコンピュータＭＣが高い電圧か、グランドＧＮＤかを読み取ることによって、フイルム感度、枚数等のフイルム情報を読み取って制御回路へ入力される。
　これで、フイルム情報の読み取りが終了するので、その後ＤＸピンをカメラの撮影関連情報の出力端子として使用しても良いわけである。
　その後、被写体輝度測光回路３４を駆動し、被写体輝度検出を行ない（ステップｄ）、第１１図に示すＡＥテーブルに従って被写体輝度に応じた数のパルスを出力する（ステップｅ）。ついで、焦点調節回路３３を駆動して、被写体距離を検出し（ステップｆ）、第１２図に示すＡＦテーブルに従って被写体距離に応じた数のパルスを出力する（ステップｇ）。このステップｅとステップｇのパルス出力は後記するように状態の報知に用いる。
　そして、撮影者のシャッターボタン深押しで接触するスイッチＳ２が導通すると（ステップｈ）、公知のフィルム露光装置（図示せず）で撮影レンズが駆動し（ステップｉ）、シャッター時間報知パルスがＯＮし（ステップｊ）、シャッター駆動が行なわれ（ステップｋ）、シャッター時間報知パルスをＯＦＦして（ステップｌ）、フィルムを露光し、フィルムを１コマ分巻上装置（図示せず）で巻上げて（ステップｍ）、撮影が終了する（ステップｎ，ｏ）。このステップｊの報知パルスＯＮと、ステップｌの報知パルスＯＦＦは後記する報知信号の出力に用いられる。
　今までの説明は、撮影者がカメラにフィルムを入れて実際に撮影を行なうときの動作を述べたものである。
　次に、カメラ組立工程の作業者が、ＡＦ駆動、ＡＥ駆動の状態を確認するときの動作を説明する。この作動も前記プログラムによって行なわれ、カメラに実際にフイルムをセットして露光しないことが異なり、カメラの作動としては同一である。
　この場合は、フィルムが入っている必要はないので、フィルム容器の替わりにＤＸピン１０〜１３にオシロスコープを接続する。実際には、既にオシロスコープと接続されたフィルム形状の専用の検出器を用いる。
　オシロスコープのグランドＧＮＤはＤＸピン１３のコモン端子と接続し、オシロスコープの測定端子は所定のＤＸピン１０〜１２と接続する。
　作業者は撮影者と同様にスイッチＳ１を導通させる。マイクロコンピュータＭＣが既に述べた所定の動作を開始し、フィルム情報を読み取る（ステップｂ，ｃ）。但し、この場合は全てのＤＸピン１０〜１２は高い電圧となっている。
　その後、スイッチＳ２を操作して（ステップｈ）、ＡＥ駆動（ステップｉ）、ＡＦ動作（ステップｋ）を行ない、さらにその後ステップｊとステップｌ）で設定された時間に、第１０図に示すようにカメラの状態報知出力信号を発生させる。
　このカメラの状態報知は、その直前には全て高い電圧の出ているＤＸピン１０〜１２をマイクロコンビュタＭＣ自身でグランドＧＮＤと導通させることで行なわれる。即ち、今測定しているＤＸピンの出力が高い電圧からグランドＧＮＤへ電圧が変化し、これをパルス的に繰り返すことで状態を報知させる。
　マイクロコンピュータＭＣのＤＸピン１０〜１３と接続されている部分は、マイクロコンピュータＭＣの内部で第１３図及び第１４図に示すような回路構成となっている。
　第１３図に示す実施例では、マイクロコンピュータＭＣが、そのＣＰＵ４０の入力ポートｉｎにインバータ４１を介してＤＸピン１０が接続され、出力ポートｏｕｔにトランジスタＴｚｒ１のベースが接続され、コレクタはＤＸピン側に接続され、エミッタはグランド側に接続されている。
　従って、ＤＸピン１０の状態を判断する時はＣＰＵ４０の出力ポートｏｕｔをローレベルにしてトランジスタＴｒ１をＯＦＦしておき、入力ポートｉｎへ入力する信号レベルで行なう。
　カメラの状態報知を行なうときには、ＤＸピン１０の状態に関係なく、ＣＰＵ４０の出力ポートｏｕｔをハイレベルにすることで、トランジスタＴｒ１をパルス的にＯＮさせる。
　このとき、ＣＰＵ４０はＤＸピン１０の状態を判断する必要が無いので、入力ポートｉｎの状態が無視され、つまりプログラムによって、ＤＸピン１０とマイクロコンピュータを接続する同一のラインＬ１を介し、同一のＤＸピン１０が入力端子にも出力端子にも切替可能となっている。
　従って、撮影者が撮影を行なう際はトランジスタＴｒ１をＯＦＦした状態で、ＤＸピン１０の入力を行なうので、正確にフィルム情報を取り込むことができＡＦ駆動、ＡＥ駆動を行なった後に、トランジスタＴｒ１をＯＮさせても、その構成図からも明らかなように他への何らかの影響を与えるものではない。なお、ＤＸピン１１，１２の入力、出力も同様に構成されている。
　第１４図はさらに他の実施例を示し、この実施例はマイクロコンピュータＭＣが同一のラインを入力端子と出力端子のどちらか一方の機能しか設定できない場合で、入カラインＬ２と出カラインＬ３とを別に有し、出力時に出カラインＬ３に接続されたトランジスタＴｒ２をＯＮさせてＤＸピン１０から報知信号を出力するようになっている。なお、前記各実施例ではマイクロコンピュータＭＣで、フィルム情報の入力と報知情報の出力の切替えを行なっているが、マイクロコンピュータＭＣとは別の専用の切替回路で行なうようにしてもよい。
　また、この発明はこの実施例に限らず、情報出力手段からの情報は、多焦点カメラの場合はレンズの焦点距離情報を出力しても良いし、またストロボ装置を有するカメラでは充電情報等も出力しても良い。
　また、裏蓋６の開閉状態を検知するスイッチを設け、裏蓋６が開放しているときのみ情報出力手段からの情報を出力するようにしても良い。
　このようにすることで、製品として組み上った状態で通常の撮影を行なうときは、裏蓋が閉じているので、撮影関連情報は出力しないようにし、無駄な電力の消耗を防止することができる。
［発明の効果］
　以上説明したように、この発明のカメラの状態報知装置は、カメラを作動状態にすることによって得られる撮影関連情報を出力する情報出力手段を設け、
この出力を、カメラのシャッタボタンの半押し毎に、前記フィルム情報検出手段を介してカメラの本体外部に出力するようにした
　従って、カメラの組立工程での性能確認や市場で故障しサービスステーション等へ修理依頼されたカメラの状態を正確に素早く認知することができ、しかも特別なモードを設定したり特別な部品を用意したりまた特別な配線をすることなく、本来カメラの持っているフィルム情報検出手段を利用することで容易に適用することができる。
【図面の簡単な説明】
　第１図はこの発明のカメラの状態報知装置を適用したカメラに、フィルム容器をセットした状態を示す図、第２図及び第３図はフィルム情報検出手段が複数ある場合を示し、第２図はフィルム情報検出手段の配置を示す図、第３図はフィルム情報検出手段からの出力信号の波形図、第４図及び第５図はフィルム情報検出手段が少ない場合を示し、第４図はフィルム情報検出手段の配置を示す図、第５図はフィルム情報検出手段からの出力信号の波形図、第６図及び第７図はフィルム情報検出手段が被接触方式の場合の実施例で、第６図はフィルム情報検出手段でフィルム情報を入力する状態を示し、第７図はフィルム情報検出手段から状態報知の出力を示す図、第８図はカメラの状態報知装置の回路図、第９図はフローチャート、第１０図はタイムチャート、第１１図はＡＥテーブル、第１２図はＡＦテーブル、第１３図はマイクロコンピュータとＤＸピンとの接続詳細回路図、第１４図はその他の実施例の接続詳細回路図である。
　図中符号３はパトローネ室、５はフイルム容器、１０〜１５はＤＸピン、２０は反射式フォトカプラ、２２は検出器、３１はマイクロコンピュータである。